(57)【要約】【課題】テレビ放送の視聴時にもイヤホン等の端子部における防塵性を保つことを可能とするカバー兼用外部アンテナを搭載した携帯端末、携帯端末のＴＶ音声の出力制御方法及び制御プログラムを提供する。【解決手段】イヤホン端子部１１ａと該イヤホン端子部を閉塞するカバー兼用の開閉自在の外部アンテナ１２とを備える携帯端末において、前記外部アンテナ１２の開状態を検出してＴＶ受信部２１を起動してＴＶ映像を表示部２２に表示をするとともに、ＴＶ音声のスピーカ２４への出力を禁止する制御を行う制御部２７を備え、イヤホン２５によるＴＶ音声の聴取を可能とする。【選択図】図５
2009118019.tif 000002
【特許請求の範囲】
【請求項１】
イヤホン端子と該イヤホン端子の開口部を閉塞する開閉可能なカバー兼用外部アンテナを搭載する携帯端末であって、前記外部アンテナの開状態を検出してＴＶ受信部を起動してＴＶ映像を表示部に表示をするとともに、ＴＶ音声のスピーカへの出力を禁止する制御を行う制御部を備え、イヤホンによるＴＶ音声の聴取を可能とすることを特徴とする携帯端末。
【請求項２】
前記制御部は、イヤホンプラグの挿入状態で、操作部からの音声切替え操作によりスピーカからのＴＶ音声の出力の禁止を解除する制御を行うことを特徴とする請求項１記載の携帯端末。
【請求項３】
前記制御部は、音声切り替え操作時にイヤホンからのＴＶ音声の出力を禁止することを特徴とする請求項２記載の携帯端末。
【請求項４】
前記外部アンテナは、携帯端末の筺体に対して開閉可能なヒンジ構造を備えることを特徴とする請求項１、２又は３記載の携帯端末。
【請求項５】
前記ＴＶ受信部はデジタルテレビ放送受信用であり、前記外部アンテナはデジタルテレビ放送受信用の外部アンテナであることを特徴とする請求項１ないし４の何れかの請求項記載の携帯端末。
【請求項６】
イヤホン端子と該イヤホン端子の開口部を閉塞する開閉可能なカバー兼用外部アンテナを搭載する携帯端末のＴＶ音声の出力制御方法であって、前記開口部に対するカバー兼用の外部アンテナの開状態を検出し、ＴＶ受信部を起動してＴＶ映像を表示部に表示をするとともに、ＴＶ音声のスピーカへの出力を禁止し、イヤホンによるＴＶ音声の聴取を可能とすることを特徴とする携帯端末のＴＶ音声の出力制御方法。
【請求項７】
イヤホンプラグの挿入状態で、操作部からの音声切替え操作によりスピーカからのＴＶ音声の出力の禁止を解除する制御を行うことを特徴とする請求項６記載の携帯端末。
【請求項８】
前記制御部は、音声切り替え操作時にイヤホンからのＴＶ音声の出力を禁止することを特徴とする請求項７記載の携帯端末。
【請求項９】
前記外部アンテナは、携帯端末の筺体に対してヒンジ構造により開閉可能であることを特徴とする請求項６、７又は８記載の携帯端末。
【請求項１０】
前記ＴＶ受信部はデジタルテレビ放送受信用であり、前記外部アンテナはデジタルテレビ放送受信用の外部アンテナであることを特徴とする請求項６ないし９の何れかの請求項記載の携帯端末。
【請求項１１】
イヤホン端子と該イヤホン端子の開口部を閉塞する開閉可能なカバー兼用外部アンテナを搭載する携帯端末の制御プログラムであって、コンピュータに、前記外部アンテナの開状態を検出してＴＶ受信部を起動してＴＶ映像を表示部に表示をするとともに、ＴＶ音声のスピーカへの出力を禁止する制御を行う制御部として機能させ、イヤホンによるＴＶ音声の聴取を可能とすることを特徴とする制御プログラム。
【請求項１２】
前記制御部は、イヤホンプラグの挿入状態で、操作部からの音声切替え操作によりスピーカからのＴＶ音声の出力の禁止を解除する制御を行うことを特徴とする請求項１１記載の制御プログラム。
【請求項１３】
前記制御部は、音声切り替え操作時にイヤホンからのＴＶ音声の出力を禁止することを特徴とする請求項１２記載の制御プログラム。
【請求項１４】
前記外部アンテナは、携帯端末の筺体に対して開閉可能なヒンジ構造を備えることを特徴とする請求項１１、１２又は１３記載の制御プログラム。
【請求項１５】
前記ＴＶ受信部はデジタルテレビ放送受信用であり、前記外部アンテナはデジタルテレビ放送受信用の外部アンテナであることを特徴とする請求項１１ないし１４の何れかの請求項記載の制御プログラム。
【発明の詳細な説明】
【技術分野】
【０００１】
本発明は携帯端末のＴＶ音声の出力制御に関し、特に、イヤホン端子の開口部のカバー兼用外部アンテナを搭載した携帯端末におけるＴＶ音声の出力制御に関する。
【背景技術】
【０００２】
携帯電話機等の携帯端末として、筺体内部にホイップアンテナを実装し、また、筺体にイヤホン等のプラグを挿入するイヤホン端子の開口部等を設け、更に該開口部等を閉塞するカバーとを設ける構造が採用されている。
【０００３】
また、外部入出力を行うためのコネクタを有する無線端末のコネクタに対するカバーの内部にアンテナ素子を設けることや、前記コネクタカバーを前記無線端末からの回転又はスライドにより開けるように構成すること等が特許文献１に記載されており、また、回動可能なアンテナを収納位置に回動するとアンテナの扁平な面が通信用コネクタの露出面を覆う構成により、埃付着防止用の専用カバーを不要とする回動式アンテナによる通信用コネクタ保護方式が特許文献２に記載されている。
【特許文献１】特開２００４−２２１９１１号公報
【特許文献２】特開２００３−１００３８１号公報
【発明の開示】
【発明が解決しようとする課題】
【０００４】
前述のようにテレビジョン放送の受信機能を備える携帯端末においては、筐体内部等にホイップアンテナを実装し、イヤホンマイク端子等には専用カバーが設けられており、この種の携帯端末に前記特許文献１、２記載のように、カバー兼用の外部アンテナを設けることが考えられるが、テレビ放送の視聴時には受信環境に応じて、アンテナの角度等を調整する必要があるから、イヤホン等を使用せずに視聴する場合は、当該イヤホン端子は露出状態となり、外部アンテナによるイヤホンマイク端子の露出面の保護及び埃付着防止が機能しないという問題がある。
【０００５】
（目的）
本発明は、以上の事情に鑑みてなされたものであり、その目的はテレビ放送の視聴時にもイヤホン等の端子部における防塵性を保つことを可能とするカバー兼用外部アンテナを搭載した携帯端末、携帯端末のＴＶ音声の出力制御方法及び制御プログラムを提供するものである。
【課題を解決するための手段】
【０００６】
本発明の第１の携帯端末は、イヤホン端子と該イヤホン端子の開口部を閉塞する開閉可能なカバー兼用外部アンテナを搭載する携帯端末であって、前記外部アンテナの開状態を検出してＴＶ受信部を起動してＴＶ映像を表示部に表示をするとともに、ＴＶ音声のスピーカへの出力を禁止する制御を行う制御部を備え、イヤホンによるＴＶ音声の聴取を可能とすることを特徴とする。
【０００７】
本発明の第１の携帯端末のＴＶ音声の出力制御方法は、イヤホン端子と該イヤホン端子の開口部を閉塞する開閉可能なカバー兼用外部アンテナを搭載する携帯端末のＴＶ音声の出力制御方法であって、前記開口部に対するカバー兼用の外部アンテナの開状態を検出し、ＴＶ受信部を起動してＴＶ映像を表示部に表示をするとともに、ＴＶ音声のスピーカへの出力を禁止し、イヤホンによるＴＶ音声の聴取を可能とすることを特徴とする。
【０００８】
本発明の第１の制御プログラムは、イヤホン端子と該イヤホン端子の開口部を閉塞する開閉可能なカバー兼用外部アンテナを搭載する携帯端末の制御プログラムであって、コンピュータに、前記外部アンテナの開状態を検出してＴＶ受信部を起動してＴＶ映像を表示部に表示をするとともに、ＴＶ音声のスピーカへの出力を禁止する制御を行う制御部として機能させ、イヤホンによるＴＶ音声の聴取を可能とすることを特徴とする。
【発明の効果】
【０００９】
本発明によれば、イヤホン端子用のカバーが不要であるとともに、アンテナを開いた視聴状態における端子部の防塵性を確実に維持することが可能である。
【発明を実施するための最良の形態】
【００１０】
本発明のカバー兼用外部アンテナを搭載した携帯端末、携帯端末のＴＶ音声の出力制御方法及び制御プログラムの一実施形態として、デジタルテレビ放送受信機能付きの携帯電話機への適用例を詳細に説明する。
【００１１】
（構成の説明）
最初に本実施形態のカバー兼用外部アンテナを搭載した携帯電話機の筺体構成について説明する。  
図１は本発明の第１の実施形態の携帯電話機の筺体の外観を示す図であり、（ａ）は斜視図、（ｂ）は上側面図である。本携帯電話機１は、液晶表示パネル等の表示部を備える第１の筺体１ａと操作キー等の入力操作部を備える第２の筺体１ｂとをヒンジ部１ｃにより回動可能に結合した筺体構造を有し、前記第２の筺体１ｂの側面のヒンジ部１ｃ側の端部の長手方向の溝部１１に、アンテナ素子を内蔵するデジタルテレビ放送受信用のカバー兼用外部アンテナ１２（以下、ＴＶアンテナ１２という。）が設置されている。
【００１２】
図２は本携帯電話機のＴＶアンテナ１２の操作状態を示す斜視図であり、（ａ）は第１の筺体側、（ｂ）は第２の筺体側である。また、図３はアンテナ素子を引き出した状態の斜視図である。図２に示すようにＴＶアンテナ１２は携帯電話機１のヒンジ部１ｃ側の端部を支点に回動（開閉）可能であり、ＴＶアンテナ１２を筺体１の溝部１１への収納時、その下面と接する溝部１１内に音声を聴取するイヤホンとしてのイヤホンマイク等の平型プラグが挿入可能な開口部１１ｂが設けられている。また、図３に示すようにＴＶアンテナ１２内部に収容されているアンテナ素子１２ａを伸張することによりデジタルテレビ放送の受信感度を高めることができる。以下、本発明のマイク端子として平型のイヤホンマイク端子の使用例により説明する。
【００１３】
図４は筐体とＴＶアンテナ１２の分解図を示す図であり、（ａ）は上面図、（ｂ）はＴＶアンテナ１２の拡大した分解図、（ｃ）は平型プラグである。ＴＶアンテナ１２及び筺体１側のイヤホンマイク端子の開口部、該開口部に挿入可能なプラグ等のより詳細な構造を示す図である。図４（ａ）に示すように、筐体１の上部側面のＴＶアンテナ１２を収容する溝部１１の内側にイヤホンマイク端子１１ａを露出させるための開口部１１ｂが開設され、該開口部１１ｂにイヤホンマイク端子１１ａが配備され、ＴＶアンテナ１２の開状態では、前記イヤホンマイク端子１１ａに図４（ｃ）に示す平型プラグが接続可能であり、平型プラグの接続状態では開口部１１ｂは閉塞される。
【００１４】
また、図４（ｂ）に示すように、ＴＶアンテナ１２は端部に設けたヒンジ構造１２ｆの突起が筺体１側の溝部の係合穴１１ｅと係合することにより取り付けられ、筺体１に対して回動可能となる。また、ＴＶアンテナ１２には筐体１と嵌合するための嵌合爪１１ｄを備え、この嵌合爪１１ｄが筐体１側の対応する位置に設けた嵌合用の開口１１ｄに嵌合することによりＴＶアンテナの閉状態となり前記開口部１１ｂを閉塞する。このように平型プラグとＴＶアンテナ１２は開口部１１ｂを閉塞するカバーとしての役割をも果たしている。  
更に、本実施形態では前記ヒンジ構造１２ｆ又はアンテナの嵌合爪の係合用の開口１１ｄにＴＶアンテナ１２が開状態か閉状態かを検出する図示しない検出スイッチを備える。
【００１５】
以上のように、ＴＶアンテナ１２は筐体１に嵌合させることで、ＴＶアンテナ１２がイヤホンマイク端子１１ａの開口部１１ｂを閉塞するカバーとしての役割を果たし、前記嵌合を解除してイヤホンマイク端子１１ａの開口部１１ｂを露出させることで、イヤホンマイク端子１１ａが使用可能となる。また、ＴＶアンテナ１１を立てて、アンテナ素子１２ａを先端から引き出すことで、デジタルテレビ放送の好適な受信状態を実現する。また、ＴＶアンテナ１２の開閉状態は前記検出スイッチのオン／オフ状態で検出可能であり、ＴＶアンテナ１２の開閉等により携帯電話機のＴＶ放送受信機能の起動、ＴＶ音声の出力が制御される。
【００１６】
次に、本発明の第１の実施形態の携帯電話機のＴＶ機能及びＴＶ音声の出力の制御に関する構成について詳細に説明する。  
図５は本発明の第１の実施形態の携帯電話機のデジタルテレビ放送の受信制御機能を示すブロック図である。ＴＶアンテナ１２と、テレビジョン受信部（ＴＶ受信部）２１と、映像データを表示する表示部２２と、同音声データのゲート機能を有する音声スイッチ２３と、前記音声スイッチ２３から前記音声データを入力し音声を出力するスピーカ２４と、ＴＶ受信部２１から音声データを入力し音声を出力するイヤホンマイク２５と、ＴＶアンテナ１２の開閉状態を検出するアンテナ操作部２６と、前記アンテナ操作部２６の出力を入力し、前記音声スイッチ２３のゲート機能を制御する制御部２７とから構成される。なお、図５にはＴＶアンテナの開閉及びイヤホンプラグ等の挿入／抜出によるイヤホン及びスピーカに対する音声出力の制御に関する機能ブロックのみを示し、通常のＴＶ受信動作に関する構成は省略している。各部の機能は以下のとおりである。
【００１７】
ＴＶ受信部２１は、テレビチューナ、トランスポート（ＴＳ）処理回路等を含み、ＴＶアンテナ１２から受信される高周波信号を入力して映像データ及び音声データを復調、出力する。表示部２２はＴＶ受信部２１からの映像データを表示する。音声スイッチ２３は前記音声データを入力し、制御部２７からの制御により音声データを開閉するゲート機能のスイッチでなり、スピーカ２４への音声データの出力を制御する。アンテナ操作検出部２６は前記検出スイッチによりＴＶアンテナ１２の開閉状態を検出して検出信号を制御部２７に出力する。
【００１８】
制御部２７は、アンテナ操作検出部２６の検出信号を入力し、ＴＶアンテナ１２の開状態を検出するとＴＶ受信部２１を起動し、映像データを表示部２２に出力し、音声スイッチ２３のゲート機能を閉じてスピーカ２４への音声データの出力を禁止する機能を有する。
【００１９】
図６は制御部の装置構成例を示す図である。制御部２７は、バス接続されたＣＰＵ（中央処理装置）２７ａ及びＲＯＭ（Read Only Memory）、ＲＡＭ（Random Access Memory）等を含むメインメモリ２７ｂと、ＴＶ受信部起動制御部２７ｃと、音声スイッチ開閉制御部２７ｄと、アンテナ操作信号入力部２７ｅとからなるコンピュータ制御の構成を備える。ここでＲＯＭには前記機能を実現する制御プログラムが格納され、ＣＰＵ２７ａはＲＯＭに格納された制御プログラムを読み込み、読み込んだ制御プログラムにより制御される。これによりＣＰＵ２７ａは、アンテナ操作信号入力部２７ｅを介して図５に示すアンテナ操作検出部２６から検出信号を入力し、ＴＶ受信部起動制御部２７ｃ及び音声スイッチ開閉制御部２７ｄを介して図５に示すＴＶ受信部２１及び音声スイッチ２３を制御し前記機能及び後述する動作を実現する制御を行う。
【００２０】
（動作の説明）
図７は第１の実施形態の携帯電話機の動作フローチャートを示す図である。ユーザがＴＶアンテナ１２を開きイヤホンマイクのプラグを挿入してテレビジョン放送を視聴し、また、イヤホンマイクのプラグを抜いてＴＶアンテナ１２を閉じるまでの一連の動作例を示している。
【００２１】
ユーザが携帯電話機１のテレビジョン受信機能によりＴＶ放送を視聴しようとしてＴＶアンテナ１２を回動して開くと、アンテナ操作検出部２６がアンテナの開状態の検出信号を制御部２７に出力し（ステップＳ１１）、制御部２７は入力した前記検出信号によりＴＶ受信部２１を起動する（ステップＳ１２）。ＴＶ受信部２１はＴＶ放送を受信して復調し、映像データと音声データを生成し、該映像データを表示部２２に出力して表示する（ステップＳ１３）。また、制御部２７は、ＴＶアンテナ１２を開いた状態で音声スイッチ２３のゲート機能を閉じ、スピーカ２４からは音声が出力されず（ステップＳ１４）、ユーザは表示部２２のＴＶ表示のみの視認が可能である。
【００２２】
この状態でユーザが開いたＴＶアンテナ１２の下部に配置されている筺体１の溝内のイヤホンマイク端子１１ａの開口部１１ｂにイヤホンマイクのプラグを挿入すると（ステップＳ１５）、音声データがイヤホンマイク２５へ出力され、ユーザはイヤホンによりＴＶ音声を聴取可能となり（ステップＳ１６）、ＴＶが視聴できるようになる。
【００２３】
その後、ユーザがイヤホンマイクのプラグを抜出すると（ステップＳ１７）、表示部２２のＴＶ表示のみが視認可能な状態に戻り、更にＴＶアンテナ１２を閉じると、アンテナ操作検出部２６がアンテナの閉状態の検出信号を制御部２７に出力し（ステップＳ１８）、制御部２７は入力した前記検出信号により表示部２２のＴＶ表示を停止する（ステップＳ１９）。
【００２４】
なお、ステップＳ１５及びＳ１７におけるイヤホンマイクのプラグの挿入、抜出操作による前記動作は適宜繰り返すことが可能である。また、ＴＶアンテナ１２の閉状態においては、携帯電話機１の入力操作部からのＴＶ視聴の操作に基づく制御部２７による音声スイッチ２３のゲート機能の開制御により、スピーカ２４による音声付きでＴＶ受信及びＴＶ視聴が可能である。
【００２５】
以上の動作により、本実施形態ではＴＶアンテナ１２を開いてＴＶを視聴する場合に、音声を聴取するにはイヤホンジャックの挿入が必要となるから、ＴＶアンテナ１２を開くことによるイヤホンマイク端子１１ａ等の露出はイヤホンプラグの挿入により防止され、その防塵性は確実に維持される。
【００２６】
（第２の実施形態）
第１の実施形態ではＴＶアンテナ１２を開いた状態ではイヤホンを使用してのみＴＶ視聴が可能となる構成例を示したが、この場合でもスピーカからの音声出力を可能とする第２の実施の形態について以下説明する。
【００２７】
図８は本発明の第２の実施形態の携帯電話機のデジタルテレビ放送の受信制御機能を示すブロック図である。ＴＶアンテナ１２と、ＴＶ受信部２１と、映像データを表示する表示部２２と、同音声データのゲート機能を有する音声スイッチ２３と、前記音声スイッチ２３からの前記音声データを入力し音声を出力するスピーカ２４と、同音声データを入力し音声を出力するイヤホンマイク２５と、ＴＶアンテナ１２の開閉操作の状態を検出するアンテナ操作検出部２６と、イヤホンマイクのプラグの挿入／抜出を検出するプラグ挿入検出部２８と、音声をスピーカ２４から出力するか否かを切替える音声切替部２９と、前記アンテナ操作検出部２６、プラグ挿入検出部２８及び音声切替部２９の各出力を入力し、前記音声スイッチ２３のゲート機能を制御する制御部３０と、から構成される。各部の機能は以下のとおりである。
【００２８】
ＴＶ受信部２１は、テレビチューナ、トランスポート（ＴＳ）処理回路等を含み、ＴＶアンテナ１２から受信される高周波信号を入力して映像データ及び音声データを復調、出力する。表示部２２はＴＶ受信部２１からの映像データを表示する。音声スイッチ２３は、前記音声データを入力し、制御部３０からの制御により音声データを開閉し、スピーカ２４への音声データの出力を制御する。アンテナ操作検出部２６は前記検出スイッチによりＴＶアンテナ１２の開閉状態を検出して検出信号を制御部３０に出力する。プラグ挿入検出部２８はイヤホンマイクのプラグのイヤホンマイク端子１１ａへの挿入を検出して検出信号を制御部３０に出力する。音声切替部２９は携帯電話機の入力操作部の一部等であって、スピーカ２４からのＴＶ音声によるＴＶ視聴を希望するユーザの操作時による切替信号を制御部３０に出力する。なお、プラグ挿入検出部２８はイヤホンマイクのプラグの挿入をイヤホンマイク端子１１ａの近傍に設けた図示しない挿入検出スイッチ等により構成することが可能であり、また、接続したプラグの電極の電位等の検出により実質的に制御部３０で検出するように構成することも可能である。
【００２９】
制御部３０は、アンテナ操作検出部２６、プラグ挿入検出部２８の各検出信号及び音声切替部２９からの切替信号を入力し、ＴＶアンテナ１２の開状態を検出するとＴＶ受信部２１を起動し、映像データを表示部２２に出力し、音声スイッチ２３のゲート機能を閉じて音声データのスピーカ２４への出力を禁止制御する機能と、ＴＶアンテナ１２の開状態及びイヤホンマイク２５のプラグの挿入を検出し、プラグの挿入状態を条件に、音声切替部２９からの前記切替信号によりスピーカ２４からの音声出力を可能に制御する機能と、を有する。
【００３０】
図９は制御部の装置構成例を示す図である。制御部３０は、ＣＰＵ（中央処理装置）３０ａ及びＲＯＭ（Read Only Memory）、ＲＡＭ（Random Access Memory）を含むメインメモリ３０ｂと、ＴＶ受信部起動制御部３０ｃと、音声スイッチ開閉制御部３０ｄと、アンテナ操作信号入力部３０ｅと、プラグ挿入信号入力部３０ｆとからなるコンピュータ制御の構成を備える。ここでＲＯＭには前記機能を実現する制御プログラムが格納され、ＣＰＵ３０ａはＲＯＭに格納された制御プログラムを読み込み、読み込んだ制御プログラムにより制御される。これによりＣＰＵ３０ａは、アンテナ操作信号入力部３０ｅ及びプラグ挿入信号入力部３０ｆを介して、それぞれ図８に示すアンテナ操作検出部２６及びプラグ挿入検出部２８から検出信号を入力し、ＴＶ受信部起動制御部３０ｃ及び音声スイッチ開閉制御部３０ｄを介して図８に示すＴＶ受信部２１及び音声スイッチ２３を制御し前記機能及び後述する動作を実現する制御を行う。
【００３１】
（動作の説明）
図１０は第２の実施形態の携帯電話機の動作フローチャートを示す図である。ＴＶアンテナを開きイヤホンプラグの挿入後にスピーカからの音声出力に切替え、その後イヤホンプラグを抜出し、ＴＶアンテナを閉じる操作を行った場合の一連の動作例を示している。
【００３２】
ユーザが携帯電話機１でＴＶ放送を視聴しようとしてＴＶアンテナ１２を回動して開くと、アンテナ操作検出部２６がＴＶアンテナ１２の開状態の検出信号を出力し（ステップＳ１１）、制御部３０は前記検出信号を入力してＴＶ受信部２１を起動させ（ステップＳ１２）、ＴＶ受信部２１はＴＶアンテナ１２から受信したＴＶ放送の無線信号を受信、復調して、映像データと音声データを生成し、映像データを表示部２２に出力して表示する（ステップＳ１３）。また、制御部３０はＴＶアンテナ１２を開いた状態で音声スイッチ２３のゲート機能を閉じ、スピーカ２４からは音声が出力されず（ステップＳ１４）、ユーザは表示部２２のＴＶ表示のみが視認可能である。
【００３３】
この状態でユーザが開いたＴＶアンテナ１２の下部の筺体１に配置されているイヤホンマイク端子１１ａにイヤホンマイクのプラグを挿入すると、プラグ挿入検出部２８はプラグ挿入の検出信号を出力し（ステップＳ１５）、ユーザはイヤホン２５により音声を聴取可能となり、ＴＶ視聴が可能となる（ステップＳ１６）。
【００３４】
ここで制御部２７は、ＴＶアンテナ１２の開状態とイヤホンマイクのプラグの挿入状態を検出しており、この状態で音声切替部２９から音声をスピーカ２４から出力する切替信号を入力すると（ステップＳ１６−１）、制御部３０は音声スイッチ２３のゲート機能を開状態とし、スピーカ２４に音声データを出力し、ユーザは表示部２２及びスピーカ２４によりＴＶ視聴が可能となる（ステップＳ１６−２）。
【００３５】
その後、ユーザがＴＶ視聴を終了し、イヤホンマイクのプラグを抜出すると（ステップＳ１７）、制御部３０はプラグ挿入検出部２８からの信号により、音声スイッチ２３のゲート機能を閉じてスピーカ２４の音声出力を停止し（ステップＳ１７−１）、ユーザはＴＶ表示のみが視認できる状態に戻る。更にＴＶアンテナ１２を閉じ、アンテナ操作検出部２６がＴＶアンテナ１２の閉状態の検出信号を出力すると（ステップＳ１８）、制御部３０はＴＶ受信部２１の動作を停止し、表示部２２へのＴＶ表示も停止する（ステップＳ１９）。
【００３６】
以上の動作により、本実施形態ではＴＶアンテナ１２を開いてＴＶを視聴する場合に、音声を聴取するにはイヤホンマイクのプラグの挿入が必要であり、また、音声切替部２９の操作によりスピーカ２４からＴＶ音声を出力する場合にもイヤホンマイクのプラグの挿入を前提とするから、ＴＶアンテナ１２を開くことによるイヤホンマイク端子１１ａ等の露出はイヤホンマイクのプラグの挿入により防止され、その防塵性は確実に維持される。
【００３７】
（他の実施形態）
第１、２の実施形態では、イヤホン側への音声データの出力は直接イヤホンマイク端子に出力する構成例を示したが、この経路にも音声スイッチを設けることで、イヤホン２５とスピーカ２４への音声データの出力を独立に切替えるように構成することができる。
【００３８】
図１１は本発明の他の実施形態の携帯電話機のデジタルテレビ放送の受信制御機能を示すブロック図である。第２の実施形態のイヤホンマイク端子１１ａの経路にも音声スイッチ３１を設けた構成例である。本実施形態の制御部３２は第２の実施形態と同様の機能に加えて、プラグ挿入検出部２８がイヤホンマイク端子１１ａへのイヤホンマイクのプラグの挿入を検出して検出信号を出力すると、制御部３２は音声スイッチ３１を開いてイヤホンマイク２５に音声データを出力する制御機能と、この状態で音声切替部２９からスピーカ２４を使用する切替信号が入力されると、制御部３２は音声スイッチ３１を閉じ、音声スイッチ２３を開く制御機能と、音声切替部２９から再びイヤホン２５を使用する切替信号が入力されると、制御部３２は音声スイッチ２３を閉じ、音声スイッチ３１を開く制御機能と、を備える。
【００３９】
本実施形態の制御部３２の装置構成例は、図９に示す構成と同様であり、ＣＰＵ及びＲＯＭ、ＲＡＭを含むメインメモリと、ＴＶ受信部起動制御部と、音声スイッチ開閉制御部と、アンテナ操作信号入力部と、プラグ挿入信号入力部とからなるコンピュータ制御の構成を備える。但し、ＲＯＭには前記機能を実現する制御プログラムが格納され、ＣＰＵは該制御プログラムにより制御され、各部を制御し、音声スイッチ開閉制御部は音声スイッチ２３に加えて音声スイッチ３１をも制御する。
【００４０】
本実施形態の動作は図１０に示す動作フローチャートで、ステップＳ１４、Ｓ１６、Ｓ１６−２、Ｓ１７−１における音声スイッチ２３のゲート機能の切替えに応じた音声スイッチ３１のゲート機能が逆方向に切替わる点で相違する。本実施形態においてもＴＶアンテナ１２を開いてＴＶを視聴する場合に、音声をイヤホン又はスピーカの何れで聴取する場合にもイヤホンマイクのプラグの挿入が必要であるから、ＴＶアンテナ１２を開くことによるイヤホンマイク端子１１ａ等の露出はイヤホンマイクのプラグの挿入により防止され、その防塵性は確実に維持される。
【００４１】
以上の実施形態では、イヤホン端子及びイヤホンプラグとして平型のイヤホンマイク端子及び平型プラグを利用する構成例により説明したが、本発明のイヤホン端子及びイヤホンプラグとして丸型その他の形状のイヤホン端子及びプラグを使用することが可能である。また、テレビ受信機能に関し、デジタルテレビ放送受信機能を有する携帯電話機への適用例により説明したが、本発明はアナログテレビ放送受信機能を有する携帯電話機等の携帯端末に適用可能であることは明らかである。
【図面の簡単な説明】
【００４２】
【図１】本発明の一実施形態の携帯電話機の筺体の外観を示す図であり、（ａ）は斜視図、（ｂ）は上側面図である。
【図２】本携帯電話機のＴＶアンテナの操作状態を示す斜視図であり、（ａ）は第１の筺体側、（ｂ）は第２の筺体側である。
【図３】アンテナ素子を引き出した状態の斜視図である。
【図４】筐体とＴＶアンテナの分解図を示す図であり、（ａ）は上面図、（ｂ）はＴＶアンテナの分解拡大図である。
【図５】本発明の第１の実施形態の携帯電話機のデジタルテレビ放送受信の制御機能を示すブロック図である。
【図６】第１の実施形態の制御部の装置構成例を示す図である。
【図７】第１の実施形態の携帯電話機の動作フローチャートを示す図である。
【図８】本発明の第２の実施形態の携帯電話機のデジタルテレビ放送の受信制御機能を示すブロック図である。
【図９】第２の実施形態の携帯電話機の動作フローチャートを示す図である。
【図１０】第２の実施形態の制御部の装置構成例を示す図である。
【図１１】本発明の他の実施形態の携帯電話機のデジタルテレビ放送の受信制御機能を示すブロック図である。
【符号の説明】
【００４３】
１  筺体
１１  筺体の溝部
１１ａ  イヤホンマイク端子
１１ｂ  開口
１２  ＴＶアンテナ
１２ｄ  嵌合爪
１２ｆ  ヒンジ構造
２１  ＴＶ受信部
２２  表示部
２３、３１  音声スイッチ
２４  スピーカ
２５  イヤホンマイク
２６  アンテナ操作検出部
２７、３０、３２  制御部
２８  プラグ挿入部
２９  音声切替部
【図１】
2009118019.tif 000003
【図２】
2009118019.tif 000004
【図３】
2009118019.tif 000005
【図４】
2009118019.tif 000006
【図５】
2009118019.tif 000007
【図６】
2009118019.tif 000008
【図７】
2009118019.tif 000009
【図８】
2009118019.tif 000010
【図９】
2009118019.tif 000011
【図１０】
2009118019.tif 000012
【図１１】
2009118019.tif 000013